【事件の表示】
　平成５年特許願第３２１６５２号「浴室換気乾燥機」拒絶査定不服審判事件〔平成７年７月１１日出願公開、特開平７−１７１２９９号〕について、次のとおり審決する。
【結　論】
　本件審判の請求は、成り立たない。
【理　由】
１．手続の経緯・本願発明
　本願は、平成５年１２月２１日の出願であって、その請求項１に係る発明は、平成１５年１０月１６日付けの手続補正書で補正された明細書及び図面の記載からみて、その特許請求の範囲の請求項１に記載された次のとおりのものと認める。（以下、「本願発明」という。）
「下面を開口し、側部に換気口を形成した換気乾燥機の本体と、この本体の下面を覆う形状で吸込口および吹出口を形成した化粧パネルと、前記本体の内部に前記吸込口と連通し設けられる送風機と、この送風機の吹き出し空気を熱交換器を介して前記吹出口に連通する浴室側の風路および前記換気口に連通する換気風路に分配するダンパーと、このダンパーを駆動するダンパーモーターと、このダンパーモーターおよび前記送風機を制御する制御部とを備え、換気運転時、前記ダンパーモーターが駆動され、前記ダンパーは前記浴室側の風路を閉止する位置へ切り換わり、暖房運転時に、前記ダンパーモーターが駆動され、前記ダンパーは前記換気風路を閉止する位置に切り換わる浴室換気乾燥機において、前記換気口は前記送風機の空気吹出口に対向するように設けられ、前記熱交換器は前記本体側部の前記換気口側に寄せて形成した前記浴室側の風路内に設けられ、前記ダンパーは前記換気口の下端部近傍でその一端を支点として回動自在に設けられ、乾燥運転時、前記ダンパーモーターが駆動され、前記ダンパーを前記浴室側の風路と前記換気風路の両方に同時に送風できるように制御する構成とするとともに、前記制御部を前記本体の内部に設けて前記本体内部の送風機および前記ダンパーモーターとリード線で接続した浴室換気乾燥機。」
　
２．引用刊行物
　これに対して、原査定の拒絶の理由に引用した本願出願前に頒布された刊行物である特開昭５８−１３０９２７号公報（以下「刊行物１」という。）には、図面とともに次の事項が記載されている。
（ａ）「Ａは浴室(1)内の天井壁面(10)の開口部(15)に取付けられた浴室用温風装置で、この浴室用温風装置Ａの構成を以下に説明する。(2)は箱形の本体ケースで、本体ケース(2)内には一方の側部に送風機(3)と他方の側部に加熱装置(4)が配設してある。送風機(3)はモータ(12)とこのモータ(12)にて回転駆動するフアン(13)とで構成されており、また加熱装置(4)は温水コイル(16)とフアン(17)とで構成され、温水コイル(16)はガス暖房用ボイラＢによつて加温される温水配管(18)に連通してある。本体ケース(2)の壁面(10)側には送風機(3)の駆動によつて浴室(1)内の空気を吸込む吸込口(5)が形成してあり、またこの吸込まれた空気を加熱装置(4)にて加温して浴室(1)側へ吹出す吹出口(6)が形成してある。吹出口(6)の上方にはケース本体(2)内にて加熱装置(4)を配設する温風通路(19)が形成してあり、この温風通路(19)と送風機(3)が収納配設された風送り室(21)とは上部の連通口(22)で連通し、下部が遮蔽板(23)で遮蔽されていて、吸込口(5)から吸込まれた空気は風送り室(21)、連通口(22)、温風通路(19)、吹出口(6)という順序で本体ケース(1)内を循回するようにしてある。本体ケース(1)の風送り室(21)と対向する側の側面には排気口(7)が形成してあり、排気口(7)と風送り室(21)との間には温風通路(19)と遮風板(24)で隔てられた冷風通路(20)が形成してある。排気口(7)は排気ダクト(25)と連結してあつて、排気ダクト(25)を経て空気を浴室(1)外へ排気するものである。遮風板(24)の先端にはダンパー(26)等より成る切替手段(8)が切替自在に取付けてあり、このダンパー(26)を第３図(a)に示すように上動してダンパー(26)の先端をケース本体(1)の上面に当接した場合には、冷風通路(20)が塞がれることになつて風送り室(21)からの送風は温風通路(19)へ導かれるものであり、逆に第３図(b)のようにダンパー(26)を下動してその先端を遮蔽板(23)の上部に設けた当り板(27)に当接した場合には温風通路(19)がダンパー(26)で塞がれて風送り室(21)と冷風通路(20)とが連通し、風送り室(21)からの空気を排気口(7)へと送ることになる。」（第２頁右上欄第３行〜左下欄末行）
（ｂ）「しかして、浴室(1)内に配置された洗濯物等の衣類を乾燥させるにあたつては、第３図(a)に示すようにダンパー(26)を上動させて温風通路(19)を開き、加熱装置(4)で加温された空気を吹出口(6)より浴室(1)内へ吹出すものである。空気は浴室(1)内を循環して再び吸込口(5)よりケース本体(1)内に吹込まれ、空気を加温するものである。浴室(1)内の空気は効率よく加熱されて、衣類の水分の蒸発を促進させることにより衣類を早く乾燥させることができるものである。その際、冷風通路(20)をやや開けておくようにしても良く、このようにすると浴室(1)内を暖房することができる上に、蒸発した水分を排気口(7)より浴室(1)外へ排気することができるものである。従つてダンパー(26)を回動させることにより浴室(1)内の循環空気量と排気空気量を任意に調整できるものである。次に、浴室(1)内の換気を行う場合には第３図(b)に示すようにダンパー(26)を下動させて冷風通路(20)を開き、浴室(1)内の空気を排気口(7)を経て排気ダクト(25)より浴室(1)外へ排気するものである。この際には、加熱装置(4)の加熱は止めておくのはもちろんである。
　なお、ダンパー(26)の上下動機構は図に示すように手動レバー式にしても良いが、又は一般的なソレノイド装置等を用いて操作盤(32)からの操作で行うようにしても良い。・・・（中略）・・・あるいは本体ケース(2)内に一般的な湿度センサーを設け、吸込口(5)から吸込まれた空気の湿度を検知してダンパー(26)の回動を自動的に行わせるようにしてもよい。これらのダンパー(26)の回動機構は温風通路(19)あるいは冷風通路(20)の開閉による切替えだけでなく、この中間の状態すなわちそれぞれの通路(19)(20)に流れる空気量を段階的に調整できるように中間ノツチ等を設けることもできる。」（第２頁右下欄第４行〜第３頁左上欄第１８行）
（ｃ）第３図(a),(b)には、本体ケース(2)の下面が開口し、この下面を覆う形状のルーパー(29)に吸込口(5)および吹出口(6)が形成されていることが図示されている。
　また、第３図(a),(b)には、本体ケース(2)の内部に吸込口(5)と連通して送風機(3)が設けられるとともに、排気口(7)は送風機(3)の空気吹出口に対向するように設けられ、ダンパー(26)はその一端を支点として回動自在に設けられていることが図示されている。
　また、第３図(a)には、ダンパー(26)が冷却通路(20)を塞ぎ、送風機(3)の吹き出し空気は加熱装置(4)を介して吹出口(6)に連通する温風通路(19)へ導かれることが、第３図(b)には、ダンパー(26)が温風通路(19)を塞ぎ、送風機(3)の吹き出し空気は排気口(7)に連通する冷風通路(20)へ導かれることが図示されている。
　
　また、上記記載事項（ｂ）に摘記したように、ダンパー(26)は「吸込口(5)から吸込まれた空気の湿度を検知してダンパー(26)の回動を自動的に行わせるようにしてもよい」のであり、ダンパー(26)の回動を自動的に行わせた場合には、ダンパー(26)を駆動するソレノイド装置等を制御する制御部を備えることは明らかなことである。
　
　これらの記載事項及び図示内容を総合すると、刊行物１には、
「下面を開口し、側面に排気口(7)を形成した本体ケース(2)と、この本体ケース(2)の下面を覆う形状で吸込口(5)および吹出口(6)を形成したルーパー(29)と、本体ケース(2)の内部に吸込口(5)と連通し設けられる送風機(3)と、この送風機(3)の吹き出し空気を温水コイル(16)を有する加熱装置(4)を介して吹出口(6)に連通する温風通路(19)および排気口(7)に連通する冷風通路(20)に切替えるダンパー(26)と、このダンパー(26)を駆動するソレノイド装置等と、このソレノイド装置等を制御する制御部とを備え、浴室(1)内の換気を行う場合ダンパー(26)は冷風通路(20)を開き、浴室(1)内に配置された洗濯物等の衣類を乾燥させる場合ダンパー(26)は温風通路(19)を開く浴室用温風装置において、排気口(7)は送風機(3)の空気吹出口に対向するように設けられ、加熱装置(4)は温風通路(19)内に設けられ、ダンパー(26)はその一端を支点として回動自在に設けられ、浴室(1)内に配置された洗濯物等の衣類を乾燥させる場合、冷風通路(20)をやや開けておくようにした浴室用温風装置。」の発明（以下、「引用発明」という。）が記載されていると認められる。
　
３．対比
　そこで、本願発明と引用発明とを対比すると、後者における「排気口(7)」が、その機能・作用等からみて前者における「換気口」に相当し、以下同様に、「側面に排気口(7)を形成」が「側部に換気口を形成」に、「本体ケース(2)」が「換気乾燥機の本体」に、「ルーパー(29)」が「化粧パネル」に、「温水コイル(16)を有する加熱装置(4)」が「熱交換器」に、「温風通路(19)」が「浴室側の風路」に、「冷風通路(20)」が「換気風路」に、「切替える」が「分配する」に、「浴室(1)内の換気を行う場合」が「換気運転時」に、「ダンパー(26)は冷風通路(20)を開き」が「ダンパーは浴室側の風路を閉止する位置へ切り換わり」に、「浴室(1)内に配置された洗濯物等の衣類を乾燥させる場合」が「暖房運転時」または「乾燥運転時」に、「ダンパー(26)は温風通路(19)を開く」が「ダンパーは換気風路を閉止する位置に切り換わる」に、「浴室用温風装置」が「浴室換気乾燥機」に、「冷風通路(20)をやや開けておくようにした」が「ダンパーを前記浴室側の風路と前記換気風路の両方に同時に送風できるように制御する構成とする」に、それぞれ相当している。
　また、後者の「ソレノイド装置等」と前者の「ダンパーモーター」とは「駆動手段」という概念で共通している。
　したがって、両者は、
「下面を開口し、側部に換気口を形成した換気乾燥機の本体と、この本体の下面を覆う形状で吸込口および吹出口を形成した化粧パネルと、前記本体の内部に前記吸込口と連通し設けられる送風機と、この送風機の吹き出し空気を熱交換器を介して前記吹出口に連通する浴室側の風路および前記換気口に連通する換気風路に分配するダンパーと、このダンパーを駆動する駆動手段と、この駆動手段を制御する制御部とを備え、換気運転時、前記駆動手段が駆動され、前記ダンパーは前記浴室側の風路を閉止する位置へ切り換わり、暖房運転時に、前記駆動手段が駆動され、前記ダンパーは前記換気風路を閉止する位置に切り換わる浴室換気乾燥機において、前記換気口は前記送風機の空気吹出口に対向するように設けられ、前記熱交換器は前記浴室側の風路内に設けられ、前記ダンパーはその一端を支点として回動自在に設けられ、乾燥運転時、前記駆動手段が駆動され、前記ダンパーを前記浴室側の風路と前記換気風路の両方に同時に送風できるように制御する構成とした浴室換気乾燥機。」の点で一致し、以下の点で相違している。
　
　相違点１：駆動手段が、本願発明では、ダンパーモーターであるのに対し、引用発明では、ソレノイド装置等である点。
　相違点２：駆動手段を制御する制御部が、本願発明では、送風機も制御しているのに対し、引用発明では、送風機も制御しているか否かが明確でない点。
　相違点３：浴室側の風路およびダンパーの支点の配置に関し、本願発明では、浴室側の風路を本体側部の換気口側に寄せて形成し、ダンパーの支点を換気口の下端部近傍としているのに対し、引用発明ではそのような配置となっていない点。
　相違点４：本願発明では、制御部を本体の内部に設けて本体内部の送風機およびダンパーモーターとリード線で接続しているのに対し、引用発明では、そのような構成となっているか否かが明確でない点。
　
４．当審の判断
　そこで上記相違点について検討する。
　まず、相違点１について検討する。
　ダンパーの駆動手段としてダンパーモーターを用いることは周知技術（必要であれば実願昭６３−１４４４３６号（実開平２−６７９９８号）のマイクロフィルム、特開昭６０−１６８４９６号公報、実願平１−９５４６４号（実開平３−３４４９７号）のマイクロフィルム等参照）であり、ダンパーの駆動手段としてこのような周知の駆動手段であるダンパーモーターを採用する程度ことは単なる設計的事項にすぎない。
　次に、相違点２について検討する。
　制御部が送風機等の装置内の構成要素を制御することは普通に行われていること（必要であれば特開平４−２８５５９７号公報の制御部１４参照）であり、必要に応じて装置内の構成要素の一つである送風機を制御部で制御するようにすることは当業者であれば容易に想到し得ることである。
　次に、相違点３について検討する。
　浴室側の風路やダンパーの支点の配置をどのように行うかは、他の構成要素の配置に応じて当業者が適宜決定し得ることであり、特に本願のような浴室側の風路およびダンパーの支点の配置としたことにより格別な効果を奏するものとも認められないから、本願発明の相違点３に係る構成とした点は単なる設計的事項といわざるをえない。
　次に、相違点４について検討する。
　制御部が設けられるのは本体の内部か外部の何れかであるが、通常本体の内部に設けるのが普通（必要であれば特開平４−２８５５９７号公報の制御部１４参照）であり、特に記載されていなくても制御部と制御される対象物とがリード線等で接続されるのは当然のことであるから、本願発明の相違点４に係る構成とした点は単なる設計的事項にすぎない。
　
　そして、本願発明の効果も引用発明及び周知技術から予測される程度のものにすぎない。
　
５．むすび
　したがって、本願発明は、引用発明及び周知技術に基づいて当業者が容易に発明をすることができたものであるので、特許法第２９条第２項の規定により特許を受けることができない。
　よって、結論のとおり審決する。